(57)【特許請求の範囲】
【請求項１】
一端が閉じたほぼ円筒状の収納部を備えると共に、下部から延伸する複数本の係合片が形成されているトップカバー部と、
コイル状に巻回されたコイル部と、該コイル部の一端から延伸されている導出部を備えるコイルエレメントと、
該コイルエレメントにおける前記コイル部を保持すると共に、前記導出部が挿通される貫通孔がほぼ中心軸に沿って形成されているボビンと、
該ボビンの下部に装着されて、その外周面に配置される保持片と、前記貫通孔内に配置される圧入片とが形成されている導電性の接触端子とを備え、
前記貫通孔内に挿通されている前記導出部の先端が、前記接触端子の前記圧入片内に圧入されていると共に、前記トップカバー部が前記ボビンに嵌挿されて、前記コイル部を保持している前記ボビンの上部が前記収納部内に収納されていることを特徴とするヘリカルアンテナ。
【請求項２】
前記係合片が、筐体に設けられている給電金具に挿通されて係合された際に、前記接触端子における保持片が前記給電金具に電気的に接続されることを特徴とする請求項１記載のヘリカルアンテナ。
【請求項３】
前記接触端子は、コ字状に折曲されて形成された前記保持片と、該保持片のほぼ中央部から起立して形成されたほぼ平行配置されている細長い板からなる圧入片からなり、該圧入片には、前記貫通孔に挿入された際に抜け出ないように切り起こし片が形成されていることを特徴とする請求項１記載のヘリカルアンテナ。
【請求項４】
前記ボビンの下部には複数のリブが形成されており、前記トップカバー部が前記ボビンに嵌挿された際に、前記リブ間に前記係合片が配置されることを特徴とする請求項１記載のヘリカルアンテナ。
【請求項５】
前記接触端子が前記ボビンの下部に装着された際に、前記保持片が前記リブの表面に形成された溝部内に配置されることを特徴とする請求項４記載のヘリカルアンテナ。
【請求項６】
前記圧入片が挿入される前記ボビンの下部に形成されている貫通孔の断面形状がＨ型とされていると共に、前記コイルエレメントにおける前記導出部が挿通される貫通孔の断面形状がＩ型とされており、前記導出部の下端が折り返されていることを特徴とする請求項１記載のヘリカルアンテナ。
【発明の詳細な説明】
【０００１】
【発明が属する技術分野】
本発明は、携帯電話機等の携帯無線機に備えられるヘリカルアンテナに関するものである。
【０００２】
【従来の技術】
最近携帯電話機が普及しているが、この携帯電話機においては通話や情報を送受信するためにアンテナが備えられている。このアンテナとして、携帯に便利なように、携帯電話機の筐体からわずか突出して固着されているヘリカルアンテナが知られている。
このような従来のヘリカルアンテナの構成例を図１２に示す。
この図に示すヘリカルアンテナ１００は、コイル部１１３ａが形成されているコイルエレメント１１３と、このコイルエレメント１１３を覆うように一体成形されているトップカバー部１１０と、コイル部１１３ａの下端が電気的に接続されていると共に、トップカバー部１１０の下端がモールドされている基部金具１１２から構成されている。
【０００３】
【発明が解決しようとする課題】
図１２に示す従来のヘリカルアンテナ１００において、コイルエレメント１１３は、ほぼ円筒状に形成された絶縁製の本体を備え、本体の外周面にはヘリカル状の溝が形成されている。この溝内に金属薄膜を蒸着あるいは貼着することにより、コイル部１１３ａが形成されている。このように形成されたコイルエレメント１１３の下部を基部金具１１２の上部に螺着し、基部金具１１２の上部およびコイルエレメント１１３の全体を覆うようにトップカバー部１１０を一体成形することにより、ヘリカルアンテナ１００は作成されている。そして、基部金具１１２の下部に形成されているネジ部１１２ａを、携帯無線機の筐体に設けられている取付金具に螺着することにより、ヘリカルアンテナ１００が筐体に固着されるようになる。
【０００４】
しかしながら、従来のヘリカルアンテナ１００においては、コイルエレメント１１３を作成する工程数が多いと共に、ヘリカルアンテナ１００の組立に時間がかかることから、そのコストが上昇するという問題点があった。また、ヘリカルアンテナ１００を螺着することにより無線機の筐体に固着していることから、取付に特殊な工具を必要とすると共に時間を要するという問題点があった。
【０００５】
そこで、本発明は、組立を簡易にしてコストを低減することができると共に、固着も容易にすることができるヘリカルアンテナを提供することを目的としている。
【０００６】
【課題を解決するための手段】
上記課題を解決するために、本発明のヘリカルアンテナは、一端が閉じたほぼ円筒状の収納部を備えると共に、下部から延伸する複数本の係合片が形成されているトップカバー部と、コイル状に巻回されたコイル部と、該コイル部の一端から延伸されている導出部を備えるコイルエレメントと、該コイルエレメントにおける前記コイル部を保持すると共に、前記導出部が挿通される貫通孔がほぼ中心軸に沿って形成されているボビンと、該ボビンの下部に装着されて、その外周面に配置される保持片と、前記貫通孔内に配置される圧入片とが形成されている導電性の接触端子とを備え、前記貫通孔内に挿通されている前記導出部の先端が、前記接触端子の前記圧入片内に圧入されていると共に、前記トップカバー部が前記ボビンに嵌挿されて、前記コイル部を保持している前記ボビンの上部が前記収納部内に収納されている。
【０００７】
また、上記本発明のヘリカルアンテナにおいて、前記係合片が、筐体に設けられている給電金具に挿通されて係合された際に、前記接触端子における保持片が前記給電金具に電気的に接続されていてもよい。
さらに、上記本発明のヘリカルアンテナにおいて、前記接触端子は、コ字状に折曲されて形成された前記保持片と、該保持片のほぼ中央部から起立して形成されたほぼ平行配置されている細長い板からなる圧入片からなり、該圧入片には、前記貫通孔に挿入された際に抜け出ないように切り起こし片が形成されていてもよい。
【０００８】
さらにまた、前記ボビンの下部には複数のリブが形成されており、前記トップカバー部が前記ボビンに嵌挿された際に、前記リブ間に前記係合片が配置されていてもよい。
さらにまた、上記本発明のヘリカルアンテナにおいて、前記接触端子が前記ボビンの下部に装着された際に、前記保持片が前記リブの表面に形成された溝部内に配置されていてもよい。
さらにまた、上記本発明のヘリカルアンテナにおいて、前記圧入片が挿入される前記ボビンの下部に形成されている貫通孔の断面形状がＨ型とされていると共に、前記コイルエレメントにおける前記導出部が挿通される貫通孔の断面形状がＩ型とされており、前記導出部の下端が折り返されていてもよい。
【０００９】
このような本発明によれば、ボビンの貫通孔内に挿通されているコイルエレメントの導出部の先端が、貫通孔内に配置された接触端子の圧入片内に圧入されると共に、トップカバー部がボビンに嵌挿されることにより、コイル部を保持しているボビンの上部が収納部内に収納されるようになる。これにより、特殊な工具を使用することなくヘリカルアンテナの組立を簡易に行うことができるようになり、コストを低減することができる。
また、携帯無線機の筐体に設けられている給電金具に、ヘリカルアンテナを挿入することにより、トップカバー部に設けられた係合片が給電金具に係合して、ヘリカルアンテナを筐体に固着することができるようになる。これにより、ヘリカルアンテナを容易にかつ短時間で筐体に固着することができる。
【００１０】
さらに、接触端子は板金を加工して形成することができ、コイルエレメントは線材をコイル状に加工することにより形成することができ、ボビンおよびトップカバー部は樹脂成形により容易に形成することができるので、各部品を作成を簡易に行うことができ、ヘリカルアンテナのコストを低減することができる。
【００１１】
【発明の実施の形態】
本発明の実施の形態のヘリカルアンテナを携帯無線機に適用した構成を一部破断して図１に示し、破断した部分を拡大して図２に示し、破断した部分を拡大した断面図を図３に示す。
これらの図に示すように、携帯電話機等の携帯無線機１の無線機筐体２には、無線機筐体２に形成された貫通孔の周囲にリング状に突出しているリング状部３が形成されている。そして、貫通孔内には円筒状の給電金具５が設けられている。本発明の実施の形態にかかるヘリカルアンテナ４は、この給電金具５内に下部を嵌挿することにより取り付けられている。すなわち、給電金具５内にヘリカルアンテナ４の下部を嵌挿した際に、ヘリカルアンテナ４の下部から延伸するよう形成された係合片１０ａが、給電金具５の下面に係合するようになる。この係合片１０ａの先端部には、先端が鋭くされたくさび状部が形成されることにより、くさび状部の上に係合する段部が形成されている。
【００１２】
さらに、ヘリカルアンテナ４の下部の外周面には、接触端子１１が配置されており、給電金具５内にヘリカルアンテナ４の下部を嵌挿した際に、接触端子１１が給電金具５の内周面に電気的に接触するようになる。これにより、ヘリカルアンテナ４を無線機筐体２に内蔵されている送受信回路に接続することができるようになる。
また、係合片１０ａはトップカバー部１０に一体に形成されており、トップカバー部１０はボビン１２に嵌着されている。ボビン１２内には図３に示すようにコイルエレメント１３が保持されている。コイルエレメント１３は、ヘリカル状に巻回されて形成されたコイル部１３ａと、コイル部１３ａの上端が下方へ折曲されて延伸されている導出部１３ｂから構成されている。この導出部１３ｂの先端には上側に折り返された折り返し部１３ｃが形成されており、この折り返し部１３ｃが接触端子１１に形成されている圧入片１１ｂ内に圧入されて電気的に接続されている。
【００１３】
さらに、接触端子１１はコ字状に折曲されて形成された保持片１１ｄと、保持片１１ｄのほぼ中央部から両側へ起立するよう折曲されている圧入片１１ｂとを備えている。圧入片１１ｂには、外側へ切り起こされた複数の切り起こし片１１ｃが形成されており、ボビン１２に形成された後述する断面Ｈ型の嵌挿孔に挿入された際に切り起こし片１１ｃが嵌挿孔の内壁に係合して、接触端子１１はボビン１２から離脱できないようになる。保持片１１ｄにおける折曲されている先端部はくの字状に折曲されてバネ部１１ｅが形成されている。このバネ部１１ｅが、給電金具５の内周面に接触して接続するようになされている。
【００１４】
次に、本発明の実施の形態にかかるヘリカルアンテナ４の分解組み立て図を図４に示す。
ヘリカルアンテナ４を組み立てるには、まず、接触端子１１をボビン１２の下端から挿入して取り付ける。この際に、接触端子１１は図４に示す位置から水平面内で約９０°回転させて取り付けるようにする。すると、圧入片１１ｂがボビン１２の中心軸にほぼ沿って形成された断面形状がＨ型の嵌挿孔内に挿入されていくようになると共に、保持片１１ｄが第２リブ１２ｄの表面に形成されている溝部１２ｅ内を摺接していくようになる。そして、保持片１１ｄの先端に形成されている係合片が第２リブ１２ｄの上部に形成されている切欠部１２ｆに係合するようになる。また、圧入片１１ｂに形成されている切り起こし片１１ｃが嵌挿孔の内壁に係合する。これにより、ボビン１２の下部に接触端子１１が離脱できないように固着される。
【００１５】
次に、コイルエレメント１３を用意して、ボビン１２のほぼ中心に沿って形成されている挿通孔に、コイルエレメント１３の下端に形成された折り返し部１３ｃから挿通していく。この場合、挿通孔の断面形状はＩ型とされているため、コイルエレメント１３はボビン１２に対して位置決めされて挿通されていくようになる。挿通孔は嵌挿孔に連通されているため、折り返し部１３ｃがボビン１２の下部まで挿通されると、下部に装着されている接触端子１１の圧入片１１ｂ間に、折り返し部１３ｃが圧入されて抜け出ないように挟持される。これにより、コイルエレメント１３が接触端子１１に電気的に接続されるようになる。同時に、コイル部１３ａが丸棒状のコイル保持部１２ａの周囲に保持されるようになる。この際に、コイル部１３ａの下端は、コイル保持部１２ａより若干大径とされているボビン基部１２ｂの上面に当接し、このため、コイル部１３ａの長さが規制されるようになる。
【００１６】
次いで、トップカバー部１０をコイルエレメント１３が保持されているボビン１２の上から被せるように、ボビン１２に嵌挿する。すると、トップカバー部１０の下部から延伸するよう形成されている４本の係合片１０ａが、ボビン１２の下部に形成されている第１リブ１２ｃと第２リブ１２ｄとの間に挿通されていくようになる。そして、第１リブ１２ｃと第２リブ１２ｄの上部が、トップカバー部１０に形成された凹部に圧入されることにより、トップカバー部１０がボビン１２に一体に取り付けられるようになる。これにより、本発明の実施の形態にかかるヘリカルアンテナ４を組み立てることができる。この組み立ての際に、組み立て用の治具や工具を必要としないと共に、接着剤を使用することなく組み立てられているため、簡易な設備で組み立てが可能となる。
【００１７】
このようにして組み立てた本発明にかかるヘリカルアンテナ４が図５（ａ）（ｂ）および図６に示されている。ただし、図５（ａ）は本発明にかかるヘリカルアンテナ４の正面図であり、同図（ｂ）はその下面図であり、図６は図５（ｂ）におけるＡ−Ａ線で切断したヘリカルアンテナ４の断面図である。
これらの図に示すように、トップカバー部１０の下部から延伸するよう形成されている４本の係合片１０ａは、ボビン１２の下部に形成されている第１リブ１２ｃと第２リブ１２ｄとの間にそれぞれ配置されており、第２リブ１２ｄの溝部１２ｅ内に接触端子１１における保持片１１ｄが配置されている。そして、保持片１１ｄの先端に幅広に形成されている係合片１１ｆが、第２リブ１２ｄの上部に形成されている切欠部１２ｆに係合している。
【００１８】
また、図６に示すようにボビン１２のほぼ中心軸に沿って形成されている挿通孔１２ｇ内に挿通されているコイルエレメント１３の導出部１３ｂは、挿通孔１２ｇに連通している嵌挿孔１２ｈに挿通されるようになる。これにより、導出部１３ｂの先端に形成されている折り返し部１３ｃが、嵌挿孔１２ｈ内に装着されている接触端子１１に形成された圧入片１１ｂ間に圧入されるようになる。なお、圧入片１１ｂから外側へ切り起こされている切り起こし片１１ｃが嵌挿孔１２ｈの内壁に喰い込むようになり、これにより、ボビン１２の下部に下から装着されている接触端子１１が、ボビン１２から抜け出ないように固着されるようになる。
【００１９】
次に、本発明にかかるヘリカルアンテナ４を構成している各部品の詳細を説明する。
図７および図８は、ボビン１２の詳細構成を示す図であり、図７（ａ）はボビン１２の上面図とされ、図７（ｂ）はその正面図とされ、図７（ｃ）はその下面図とされている。さらに、図８（ａ）は図７（ｃ）におけるＢ−Ｂ線で切断した断面図であり、図８（ｂ）は図７（ｃ）におけるＤ−Ｄ線で切断した断面図であり、図８（ｃ）は図７（ｃ）におけるＣ−Ｃ線で切断した断面図である。
【００２０】
これらの図に示すように、合成樹脂製とされたボビン１２は、細径の丸棒状のコイル保持部１２ａと、コイル保持部１２ａに連接して若干大径とされた断面円形のボビン基部１２ｂを備えている。このボビン基部１２ｂの上部の外周面には複数の突条１２ｋが形成されている。この突条１２ｋは、トップカバー部１０が嵌着された際に、トップカバー部１０の収納部の内周面に圧接されるようになる。ボビン基部１２ｂの外周面には上部を除いて、十文字状に配置された４本のリブが形成されている。この４本のリブは２本の第１リブ１２ｃと２本の第２リブ１２ｄとからなり、それぞれ対向して形成されている第１リブ１２ｃと第２リブ１２ｄとはほぼ直交して配置されている。そして、第２リブ１２ｄの表面には、接触端子１１の保持片１１ｄが配置される溝部１２ｅが形成されており、この溝部１２ｅの両側に壁部１２ｉが形成されるようになる。また、第２リブ１２ｄの上部には切欠部１２ｆが形成されており、第１リブ１２ｃおよび第２リブ１２ｄの上端にはそれぞれ突部１２ｊが形成されている。この突部１２ｊは、トップカバー部１０が嵌着された際に、トップカバー部１０に形成されている凹部に嵌着されるようになる。
【００２１】
さらに、ボビン１２のほぼ中心軸に沿って図８に示すように挿通孔１２ｇと嵌挿孔１２ｈとが形成されている。図７（ａ）に示すように挿通孔１２ｇは、断面がＩ字状の細長い矩形とされて、コイル保持部１２ａとボビン基部１２ｂのほぼ中央まで形成されている。また、嵌挿孔１２ｈは挿通孔１２ｇに連通しており、、図７（ｃ）に示すように断面がＨ字状とされて、ボビン基部１２ｂのほぼ中央から下に形成されている。嵌挿孔１２ｈのＨ字の２本の縦棒に相当する孔部にそれぞれ接触端子１１の圧入片１１ｂが挿通される。さらに、嵌挿孔１２ｈのＨ字の２本の縦棒をつなぐ横棒に相当する孔部は、挿通孔１２ｇを延伸した孔部とされ折り返し部１３ｃが形成されているコイルエレメント１３の導出部１３ｂが挿通される。なお、図８（ｃ）に示すようにボビン基部１２ｂは下端が細くなるようにテーパが付けられて形成されており、係合片１０ａが給電金具５に嵌挿された際に押し込められる空間を確保するようにしている。
【００２２】
次に、図９は接触端子１１の詳細構成を示す図であり、図９（ａ）は接触端子１１の正面図とされ、図９（ｂ）はその下面図とされ、図９（ｃ）はその側面図とされ、図９（ｄ）は図９（ｃ）におけるＥ−Ｅ線で切断した断面図とされ、図９（ｅ）はその正面図の一部拡大図とされている。
これらの図に示すように、金属板を加工してコ字状に形成された保持片１１ｄのほぼ中央の両側からは、細長く形成された圧入片１１ｂが起立して対面するよう形成されている。この圧入片１１ｂにはそれぞれ２つの３角形状の切り起こし片１１ｃが図示するように形成されている。この切り起こし片１１ｃの先端が、ボビン１２の嵌挿孔１２ｈの内壁に喰い込むようになる。また、コ字状に形成された保持片１１ｄの両側の片には、くの字状に折曲されたバネ部１１ｅと、その先端に幅広の係合片１１ｆが形成されている。このバネ部１１ｅは、ヘリカルアンテナ４が無線機筐体２に取り付けられた際に、給電金具５の内周面に電気的に接触する部分であり、係合片１１ｆは、接触端子１１がボビン１２の下部に装着された際に、ボビン１２の第２リブ１２ｄの上部に形成された切欠部１２ｆに係合する部分である。
【００２３】
次に、コイルエレメント１３の詳細構成を図１０に示す。
この図に示すように、コイルエレメント１３は線材をヘリカル状に巻回して形成されているコイル部１３ａと、コイル部１３ａの上端が折曲されてコイル部１３ａ内を貫通するように形成されている導出部１３ｂから構成されている。また、導出部１３ｂの下端は折り返されて折り返し部１３ｃが形成されている。折り返し部１３ｃは、接触端子１１における圧入片１１ｂに圧入されて電気的に接触端子１１に接続される部分である。なお、導出部１３ｂがコイル部１３ａ内を貫通する構成とされて、導出部１３ｂとコイル部１３ａとが高周波的に結合するため、コイルエレメント１３は２共振特性を示すようになる。これにより、本発明にかかるヘリカルアンテナ４を携帯電話機に取り付けることにより、携帯電話機を２つの異なる周波数帯域で動作させることができるようになる。
なお、コイルエレメント１３をボビン１２に装着した際に、コイル部１３ａの下端はボビン基部１２ｂの上面に当接するようになり、コイル部１３ａの長さが規制されるようになる。これにより、コイルエレメント１３の共振周波数のバラツキを抑えて均一にすることができる。
【００２４】
図１１は、トップカバー部１０の詳細構成を示す図であり、図１０（ａ）はトップカバー部１０の正面図とされ、図１０（ｂ）はその下面図とされ、図１０（ｃ）は図１０（ｂ）におけるＦ−Ｆ線で切断した断面図であり、図１１（ｄ）はその一部を拡大した図である。
これらの図に示すように、トップカバー部１０は袋状の収納部１０ｃを形成している一端が閉じた円筒状のカバー１０ｂと、カバー１０ｂの下端から延伸している４本の係合片１０ａから構成されている。係合片１０ａは図１１（ｄ）に示すように先端にくさび状部１０ｄが形成されており、このため、その上に係合段部が形成されるようになされている。
【００２５】
この４本の係合片１０ａは、トップカバー部１０が樹脂成形される際に、カバー１０ｂの下端に一体に形成されており、係合片１０ａの間にはすり割り部１０ｅが形成されるようになる。トップカバー部１０がボビン１２に嵌挿される際に、このすり割り部１０ｅにボビン１２における第１リブ１２ｃおよび第２リブ１２ｄがそれぞれ挿通される。そして、すり割り部１０ｅの上端はカバー１０ｂの下端に形成された凹部１０ｆとされており、この凹部１０ｆには、第１リブ１２ｃおよび第２リブ１２ｄの上端に形成されている突部１２ｊが圧入されるようになる。なお、ボビン１２にトップカバー部１０を嵌挿することにより、収納部１０ｃにコイル部１３ａを保持するコイル保持部１２ａが収納されるようになる。
【００２６】
上記の説明では、ヘリカルアンテナ４を２共振アンテナとしたが、単共振アンテナとしてもよい。また、コイルエレメント１３における導出部１３ｂの下端に折り返し部１３ｃを形成するようにしたが、折り返し部１３ｃは必ずしも設ける必要はない。
さらに、図５および図６に示すように本発明にかかるヘリカルアンテナは接着剤を使用することなく嵌め合いにより組み立てられている。このため、組み立て後において、ヘリカルアンテナ４の電気的特性の確認検査をした際に、電気的特性を調整したい場合は、分解して調整することが可能となる。このように組み立て後に、電気的特性の確認検査を行えるので、製造の歩留まりを向上することができるようになる。
【００２７】
【発明の効果】
本発明は上記説明したように、ボビンの貫通孔内に挿通されているコイルエレメントの導出部の先端が、貫通孔内に配置された接触端子の圧入片内に圧入されると共に、トップカバー部がボビンに嵌挿されることにより、コイル部を保持しているボビンの上部が収納部内に収納されるようになる。これにより、、特殊な工具を使用することなくヘリカルアンテナの組立を簡易に行うことができるようになり、コストを低減することができる。
また、携帯無線機の筐体に設けられている給電金具に、ヘリカルアンテナを挿入することにより、トップカバー部に設けられた係合片が給電金具に係合して、ヘリカルアンテナを筐体に固着することができるようになる。これにより、ヘリカルアンテナを容易にかつ短時間で筐体に固着することができる。
【００２８】
さらに、接触端子は板金を加工して形成することができ、コイルエレメントは線材をコイル状に加工することにより形成することができ、ボビンおよびトップカバー部は樹脂成形により容易に形成することができるので、各部品を作成を簡易に行うことができ、ヘリカルアンテナのコストを低減することができる。
【図面の簡単な説明】
【図１】本発明の実施の形態のヘリカルアンテナを携帯無線機に適用した構成を示す図である。
【図２】本発明の実施の形態のヘリカルアンテナを携帯無線機に適用した構成の一部を拡大して示す図である。
【図３】本発明の実施の形態のヘリカルアンテナを携帯無線機に適用した構成の一部を拡大して示す断面図である。
【図４】本発明の実施の形態のヘリカルアンテナの分解組み立て図である。
【図５】本発明の実施の形態のヘリカルアンテナの構成を示す正面図および下面図である。
【図６】本発明の実施の形態のヘリカルアンテナの構成を示すＡ−Ａ線断面図である。
【図７】本発明の実施の形態のヘリカルアンテナにおけるボビンの詳細構成を示す上面図、正面図、下面図である。
【図８】本発明の実施の形態のヘリカルアンテナにおけるボビンの詳細構成を示すＢ−Ｂ線断面図、Ｃ−Ｃ線断面図、Ｄ−Ｄ線断面図である。
【図９】本発明の実施の形態のヘリカルアンテナにおける接触端子の詳細構成を示す正面図、下面図、側面図、Ｅ−Ｅ線断面図、一部拡大図である。
【図１０】本発明の実施の形態のヘリカルアンテナにおけるコイルエレメントの詳細構成を示す図である。
【図１１】本発明の実施の形態のヘリカルアンテナにおけるトップカバー部の詳細構成を示す正面図、下面図、Ｆ−Ｆ線断面図である。
【図１２】従来のヘリカルアンテナの構成例を示す図である。
【符号の説明】
１  携帯無線機、２  無線機筐体、３  リング状部、４  ヘリカルアンテナ、５給電金具、１０  トップカバー部、１０ａ  係合片、１０ｂ  カバー、１０ｃ収納部、１０ｄ  くさび状部、１０ｅ  すり割り部、１０ｆ  凹部、１１  接触端子、１１ｂ  圧入片、１１ｃ  切り起こし片、１１ｄ  保持片、１１ｅ  バネ部、１１ｆ  係合片、１２  ボビン、１２ａ  コイル保持部、１２ｂ  ボビン基部、１２ｃ  第１リブ、１２ｄ  第２リブ、１２ｅ  溝部、１２ｆ  切欠部、１２ｇ  挿通孔、１２ｈ  嵌挿孔、１２ｉ  壁部、１２ｊ  突部、１２ｋ  突条、１３  コイルエレメント、１３ａ  コイル部、１３ｂ  導出部、１３ｃ  折り返し部、１００  ヘリカルアンテナ、１００  ヘリカルエレメント、１１０  トップカバー部、１１２  基部金具、１１２ａ  ネジ部、１１３  コイルエレメント、１１３ａ  コイル部
【図１】
0004546638.tif 000002
【図２】
0004546638.tif 000003
【図３】
0004546638.tif 000004
【図４】
0004546638.tif 000005
【図５】
0004546638.tif 000006
【図６】
0004546638.tif 000007
【図７】
0004546638.tif 000008
【図８】
0004546638.tif 000009
【図９】
0004546638.tif 000010
【図１０】
0004546638.tif 000011
【図１１】
0004546638.tif 000012
【図１２】
0004546638.tif 000013